(57)【要約】   本発明に係る電子天秤においては、予め決められた多数のメニュー項目がツリー構造化されて成る基本メニューリスト情報と、使用者が頻繁に利用する演算機能などを任意に登録することで不揮発性メモリに格納されるユーザーメニューリスト情報とを併合したメニューリストの中で、規定のキー操作に応じて同層上の移動、下層への移行を順に行いながら所望のメニュー項目を選択できるようにしている。使用者が頻繁に利用するメニュー項目、例えば機能８の設定／解除は、優先度が高いマイメニューの下層に存在するため、メニューグループ２→機能８と、ツリーを順に辿って選択する場合に比べて少ないキー操作回数で以て選択が可能である。それにより、作業の効率化が図れるとともに操作が簡単であるので取扱説明書を見ないでも操作が行える。また、ユーザーメニューリスト２９以外の基本メニューリストには順序の変更等がないので、そうしたリスト中のメニュー項目を選択する際には従来通りの操作でよい。
2007108121.tif 000002
【特許請求の範囲】
【請求項１】
荷重検出部で得られるデータを演算処理部により演算処理して計量値を決定し、これを表示部に表示する電子天秤であって、前記演算処理部で実行する演算機能の選択や該機能を実行する上での条件の設定を始めとする各種機能の設定／解除を行うためのメニュー項目がツリー構造化されたメニューリストについて、キースイッチの操作によりそのツリーを順に辿ることで所望のメニュー項目を選択可能とした電子天秤において、
a)予め設定された基本メニューリストについてツリーを順に辿ることにより到達するメニュー項目を、使用者が任意に登録設定するための登録手段と、
b)該登録手段により登録された情報内容を記憶しておく、電源遮断状態でも記憶内容を保持し得る書き換え可能な記憶手段と、
c)前記記憶手段に登録情報がある場合に、該情報をユーザーメニューリストとして前記基本メニューリストと併合したメニューリストを仮想的に作成し、前記キースイッチの操作に応じて該メニューリストのツリーを辿ったメニュー項目の選択を可能とするメニュー設定制御手段と、
を備えることを特徴とする電子天秤。
【請求項２】
前記メニューリストは、前記ユーザーメニューリスト中のメニュー項目が前記基本メニューリスト中のメニュー項目よりも優先的に選択されるようなツリー構造を有することを特徴とする請求項１に記載の電子天秤。
【請求項３】
複数の使用者がそれぞれ異なるユーザーメニューリストを登録設定できることを特徴とする請求項１又は２に記載の電子天秤。
【請求項４】
荷重検出部で得られるデータを演算処理部により演算処理して計量値を決定し、これを表示部に表示する電子天秤であって、前記演算処理部で実行する演算機能の選択や該機能を実行する上での条件の設定を始めとする各種機能の設定／解除を行うためのメニュー項目がツリー構造化されたメニューリストについて、キースイッチの操作によりそのツリーを順に辿ることで所望のメニュー項目を選択可能とした電子天秤において、
a)予め不要なメニュー項目を使用者が任意に登録設定するための登録手段と、
b)前記登録手段により登録された情報を記憶しておく、電源遮断状態でも記憶内容を保持し得る書き換え可能な記憶手段と、
c)前記キースイッチに操作に応じてメニューリストについてのツリーを順に辿る際に、前記記憶手段に記憶されている情報に基づいて、不要なメニュー項目をパスするように選択対象のメニュー項目を切り替えるメニュー設定制御手段と、
を備えることを特徴とする電子天秤。
【発明の詳細な説明】
【技術分野】
【０００１】
本発明は電子天秤に関し、さらに詳しくは、計量、感度校正、演算機能の選択などのメニュー項目の選択機能を有する電子天秤に関する。なお、ここで言う電子天秤とは一般的に電子天秤よりも大きな重量を計測する電子はかりも含むものとする。
【背景技術】
【０００２】
電子天秤の基本的な機能は、計測対象の物体が載置された荷重検出部からの荷重データに対し演算処理部で平均化処理等を行うことによって計量値を決定し、これを表示部に表示することである。演算処理部で実行される例えばデータ平均化時間等の演算条件は、通常、複数の条件が用意されており、天秤の設置環境や利用目的等に応じて使用者が任意に選択できるようになっている。さらにこうした最近の電子天秤では様々な機能が盛り込まれており、演算処理部はそうした機能に対応する演算処理を実行するように構成されている。【０００３】
例えば、演算処理部は、所定時間間隔で取り込まれる荷重データが安定しているか否かの判別を行い、その結果に従って、計量値が読取り可能な程度に安定していることを使用者に報知する表示を行うようになっており、こうした安定判別のための条件も複数の条件の中から選択可能である。また、通常の測定モードのほかに、荷重検出部に基準分銅等の既知質量を負荷したときの荷重データを用いて感度校正を行う、いわゆる感度校正モードの選択が可能である。さらにまた、測定されたグラム単位の計量結果をもとにオンス、カラットなどの種々の単位の表示値に変換したり、或いは、はかり取り作業における合否判定を行う機能が付加されている場合もある。【０００４】
上述したように最近の電子天秤は非常に多機能化が進んでおり、使用者が必要に応じて様々な機能の設定や解除を行うようになっているが、一方で、できるだけコストを抑えたいという要求があり、また小型化するための意匠上の問題もあり、キースイッチの数を増やすことが難しい。そのため、上述したような各演算機能の選択や各演算機能中での演算条件の選択などは、基本的な測定を実行するためのキースイッチの操作の組み合わせで実行可能であるように工夫されている。【０００５】
具体的には、特許文献１、２などに開示されているように、各種演算機能やその各機能中の演算条件等の多数（多い場合には１００項目以上）のメニュー項目は例えば図２に示すように複数階層の層構造（ツリー構造）に整理されており、少数のキースイッチには、このツリー構造の同一層内での移動や下階層又は上階層への移動などの機能が割り当てられている。そして、使用者がキースイッチを決められた順序で操作することにより、ツリー構造のメニュー項目を順次辿っていって最終的に所望の機能設定／解除や条件設定等に到達し、その設定や解除が行えるようになっている。【０００６】
しかしながら、そもそも少ない数のキースイッチで以て多様なメニュー項目の選択を可能としているため、場合によっては所望の機能や条件を設定／解除するためにかなりの回数のキー操作を行わなければならない。また、機能が増加するに伴いメニュー項目のツリー構造はますます複雑になるため、この電子天秤の使用者が操作手順を覚えることは困難であり、メニュー操作を行うたびに取扱説明書やガイドを必要とすることになる。このため作業効率が悪いばかりでなく、こうした装置の操作に不慣れな人にとっては作業自体が苦痛ですらある。また、場合によっては使用者が間違って意図しない機能設定／解除を行ってしまい、正確な計量に支障をきたすおそれもある。【０００７】
【特許文献１】特開平８−３０４１５１号公報
【特許文献２】特開平１０−３０７０５６号公報
【発明の開示】
【発明が解決しようとする課題】
【０００８】
特許文献１、２に記載の電子天秤でも、上記のような操作の繁雑さを解消するための試みがなされている。例えば特許文献１に記載の電子天秤では、過去に使用された機能に対応するメニューコードが記憶され、次に使用者が特定のキー操作を行うとそのメニューコードに対応した機能を直接呼び出せるようにしている。また特許文献２に記載の電子天秤では、特定のキー操作により、ツリー構造上でメニュー項目の順序が変更され、頻繁に利用する機能を選択するためのキー操作の回数を減らすことができるようになっている。【０００９】
しかしながら、前者の方法では、使用者がこの天秤を使用する都度、標準的でない特定のキー操作を行う必要があるため作業ミスの原因となり易い。また使用者が一人である場合にはよいが、複数の使用者が天秤を共用し、且つ各使用者がよく利用する機能がそれぞれ相違するような場合には対応できない。また、後者の方法では、ツリー構造上のメニュー項目の順序が頻繁に変わるおそれがあり、不慣れな使用者では却って操作に戸惑うおそれがある。特に、使用者が複数であって各使用者がよく利用する機能が相違する場合には、却って操作性を低下させる可能性が大きい。【００１０】
本発明は上記課題を解決するために成されたものであり、その目的とするところは、使用者による所望の機能の設定／解除や条件の設定などを簡便な操作で確実に行うことができ、特に複数の使用者により共用される場合でも高い操作性を達成できる電子天秤を提供することである。
【課題を解決するための手段】
【００１１】
上記課題を解決するために成された第１発明は、荷重検出部で得られるデータを演算処理部により演算処理して計量値を決定し、これを表示部に表示する電子天秤であって、前記演算処理部で実行する演算機能の選択や該機能を実行する上での条件の設定を始めとする各種機能の設定／解除を行うためのメニュー項目がツリー構造化されたメニューリストについて、キースイッチの操作によりそのツリーを順に辿ることで所望のメニュー項目を選択可能とした電子天秤において、
a)予め設定された基本メニューリストについてツリーを順に辿ることにより到達するメニュー項目を、使用者が任意に登録設定するための登録手段と、
b)該登録手段により登録された情報内容を記憶しておく、電源遮断状態でも記憶内容を保持し得る書き換え可能な記憶手段と、
c)前記記憶手段に登録情報がある場合に、該情報をユーザーメニューリストとして前記基本メニューリストと併合したメニューリストを仮想的に作成し、前記キースイッチの操作に応じて該メニューリストのツリーを辿ったメニュー項目の選択を可能とするメニュー設定制御手段と、
を備えることを特徴としている。【００１２】
また、第１発明に係る電子天秤において、前記メニューリストは、前記ユーザーメニューリスト中のメニュー項目が前記基本メニューリスト中のメニュー項目よりも優先的に選択されるようなツリー構造であるものとするとよい。【００１３】
また、本発明に係る電子天秤において、好ましくは、複数の使用者がそれぞれ異なるユーザーメニューリストを登録設定できる構成であるものとするとよい。【００１４】
また上記課題を解決するために成された第２発明は、荷重検出部で得られるデータを演算処理部により演算処理して計量値を決定し、これを表示部に表示する電子天秤であって、前記演算処理部で実行する演算機能の選択や該機能を実行する上での条件の設定を始めとする各種機能の設定／解除を行うためのメニュー項目がツリー構造化されたメニューリストについて、キースイッチの操作によりそのツリーを順に辿ることで所望のメニュー項目を選択可能とした電子天秤において、
a)予め不要なメニュー項目を使用者が任意に登録設定するための登録手段と、
b)前記登録手段により登録された情報を記憶しておく、電源遮断状態でも記憶内容を保持し得る書き換え可能な記憶手段と、
c)前記キースイッチに操作に応じてメニューリストについてのツリーを順に辿る際に、前記記憶手段に記憶されている情報に基づいて、不要なメニュー項目をパスするように選択対象のメニュー項目を切り替えるメニュー設定制御手段と、
を備えることを特徴としている。
【発明の効果】
【００１５】
第１発明に係る電子天秤においては、使用者は、基本メニューリスト中の多数のメニュー項目の中で、自らが高い頻度で利用する機能やそれに関する条件を設定／解除するためのメニュー項目を、登録手段により登録しておく。こうして登録された情報は記憶手段に格納されるから、本電子天秤の電源が遮断されても上記情報は消えずに保持される。その後に使用者がメニュー項目の選択を行うべくキースイッチを操作すると、メニュー設定制御手段は、上記登録情報に基づくユーザーメニューリストと基本メニューリストとを併合したメニューリストを仮想的に作成し、キースイッチの操作に応じてこのメニューリストのツリーを辿ったメニュー項目の切り替えを行う。【００１６】
したがって、ユーザーメニューリスト中のメニュー項目が基本メニューリスト中のメニュー項目よりも優先的に選択されるようなツリー構造としておく、例えば、基本メニューリストの中の最上位層のメニュー項目の中でも最も優先的にユーザーメニューリストを指定するためのメニュー項目が位置するようにしておけば、所望のメニュー項目を選択するまでのキースイッチの操作回数を従来よりも少なくすることができる。その一方、基本メニューリストのツリー構造自体は変更されないので、ユーザーメニューリストに登録されているメニュー項目以外を使用者が選択しようとした場合に、キースイッチの操作回数自体はユーザーメニューリストが追加されることで増加する可能性はあるものの、操作手順自体は基本的に従来と変わらず使用者が操作に戸惑うこともない。【００１７】
このように第１発明に係る電子天秤によれば、高い頻度で利用するメニュー項目（演算機能）を従来よりも少ないキー操作回数で簡便に選択して、例えばその機能の設定や解除などを実行することができる。したがって、電子天秤を利用した計量作業を効率的に行うことができ、設定のミス等に起因する不正確な計量を防止できる。また、高い頻度で利用するユーザーメニューリスト中のメニュー項目を選択する際には操作が簡単であるため、使用者は取扱説明書やガイドなどを用いずに操作を行うことができる。【００１８】
また、複数の使用者がそれぞれ異なるユーザーメニューリストを登録設定できる構成とすることにより、複数の使用者が１台の電子天秤を共用する場合であって各使用者の利用方法（例えば利用する演算機能や各機能の条件など）が異なる場合でも、各使用者は自らが予め設定したユーザーメニューリストを用いて少ないキー操作回数で以て所望のメニュー項目の選択が可能である。したがって、いずれの使用者にとっても使い易く、他の使用者が登録したメニュー項目を間違って選択するようなミスも起こりにくい。【００１９】
一方、第２発明に係る電子天秤において、使用者はメニューリストの中で利用する可能性のないメニュー項目を決定して予め登録手段により登録しておく。第１発明と同様に、この登録情報も記憶手段に格納される。そして、その後に使用者がメニュー項目の選択を行うべくキースイッチを操作すると、メニュー設定制御手段は、登録情報に基づいて不要なメニュー項目があたかもメニューリスト上に存在しないように該メニュー項目を飛ばしながら、キースイッチの操作に応じてツリーを辿ったメニュー項目の切り替えを行う。【００２０】
したがって、この第２発明に係る電子天秤によれば、見かけ上（及びキースイッチの操作上）メニューリストが簡素化されるので、ツリーを辿って所望のメニュー項目に到達するまでのキー操作回数を少なくすることができ、計量作業の効率化に有利である。また、メニュー項目の選択のための操作が簡単になるので、使用者は取扱説明書やガイドを参考にする必要もなくなる。
【図面の簡単な説明】
【００２１】
【図１】本発明の第１実施例である電子天秤の概略構成を示すブロック図。
【図２】第１実施例の電子天秤においてＲＯＭに格納された基本メニューリストのツリー構造の一例を示す模式図。
【図３】第１実施例の電子天秤においてＲＯＭに格納された基本メニューリストと不揮発性メモリに格納されたユーザーメニューリストとを併合したメニューリストのツリー構造の一例を示す模式図。
【図４】図３のメニューリストにおいてユーザーメニューリストに使用者がメニュー項目を追加した場合のツリー構造の一例を示す模式図。
【図５】本発明の第２実施例である電子天秤の概略構成を示すブロック図。
【図６】第２実施例の電子天秤において操作対象であるメニューリストのツリー構造の一例を示す模式図。
【発明を実施するための最良の形態】
【００２２】
以下、本発明に係る電子天秤の第１実施例について図面を参照して説明する。図１は第１実施例による電子天秤の概略構成図である。【００２３】
荷重検出部２は、例えば皿１上に載置された計測対象物の荷重と発生電磁力とを平衡させる電磁力平衡型の天秤機構を内蔵し、零位法に基づいて皿１上の荷重に対応した電気信号を発生する。この荷重検出部２によるアナログ出力信号はＡ／Ｄ変換器３においてデジタルデータに変換された後、所定のサンプリング時間間隔で以て演算処理部４に読み込まれる。演算処理部４はマイクロコンピュータを中心に構成され、ＣＰＵ４１、ＲＡＭ４２、ＲＯＭ４３、フラッシュメモリ等の書き替え可能な不揮発性メモリ４４、及び入出力インターフェイス（Ｉ／Ｏ−ＩＦ）４７を含み、入出力インターフェイス４７を介して、上記Ａ／Ｄ変換器３のほか、キースイッチ群５や、計量値や後述するメニュー項目に対応する表示を行うための表示器６が接続されている。【００２４】
演算処理部４のＲＯＭ４３には、各部の動作を制御するための基本プログラムのほかに、複数のメニュー項目のそれぞれに対応する演算プログラムが書き込まれているとともに、その各演算プログラムを選択するためのプログラムが基本メニューリスト情報４５として書き込まれている。また、ＲＡＭ３２には、上述のように所定の時間間隔毎に入力される荷重データを格納するデータバッファエリアや、演算処理に際して適宜利用されるワークエリアなどが設定されている。さらにまた、不揮発性メモリ４４には、後述するように使用者の操作により適宜データが追加又は削除される、演算プログラムを選択するためのプログラムがユーザーメニューリスト情報４６として書き込まれている。【００２５】
キースイッチ群５は、電源オン／オフキー５１、風袋引きキー５２、感度校正キー５３等を含む。これらキーの基本的な機能は、電源オン／オフキー５１は文字通り、本電子天秤の電源を投入又は遮断するためのキースイッチ、風袋引きキー５２は計量実行時に予め決めておいた風袋の重量（例えば１０ｇ）を減算するためのキースイッチ、感度校正キー５３は皿１上に基準分銅を載せて計量値の感度校正を行うために操作されるキースイッチである。これら以外にもいくつかのキースイッチを備えるが、ここでは省略する。【００２６】
上記３個のキースイッチ５１、５２、５３の基本的な機能は前述の通りであるが、これらはメニュー操作にも利用される。メニュー操作においては、各キースイッチ５１、５２、５３には次のような機能が割り当てられる。即ち、電源オン／オフキー５１にはメニュー操作モードの終了機能、風袋引きキー５２にはメニューグループの選択（下位層への移行）及び機能設定／解除の実行、感度校正キー５３には重量表示からメニュー操作モードへの移行及びメニューグループや機能の切替え、の各機能が与えられる。なお、メニュー操作に関して上記各キーは、それぞれブレイクキー５１、エンターキー５２、メニューキー５３と呼び換えるものとする。【００２７】
図２はＲＯＭ３３に書き込まれている基本メニューリスト情報４５のデータ構造を示す模式図である。このように基本メニューリストは、３つの層から成るツリー構造を有している。最上位層（第１層）の中にはメニューグループを示すメニュー項目が設けられ（この例ではメニューグループ１〜５）、各メニューグループの１つ下の層（第２層）の中にはそれぞれ複数の機能を示すメニュー項目が設けられ、その各メニュー項目の１つ下の層である最下層（第３層）の中にはさらに細分化された機能や第２層の機能の設定又は解除を示すメニュー項目が設けられている。いずれのメニュー項目も操作メニューの下にツリー構造化されているから、最上位層から順に同層内で移動するとともに下の層に移動することにより、この基本メニューリスト中の全てのメニュー項目の任意のものが上記３個のキー操作によって選択されるようになっている。そして、その選択結果に応じて、同じＲＯＭ３３の別エリアに格納されている各演算プログラムのうちの該当のものが読み出され、ＣＰＵ４１上で実行されるようになっている。【００２８】
いま一例として、上記基本メニューリストを用いた場合において、重量表示の状態からメニューグループ２の中の「機能８」の設定及びその解除を実行する場合の手順を説明する。通常の重量表示状態において、メニューキー５３を操作することによって重量表示状態からメニュー操作モードへと移動し、さらにメニューキー５３を１回操作すると最上位層でメニューグループ１から２へ移動し、そこでエンターキー５２を１回操作することでメニューグループ２を選択してその下の層に移動する。【００２９】
次に、メニューキー５３を１回操作するごとに選択メニュー項目が第２層上で横方向（図２では下方向）に１つずつ移動するから、メニューキー５３を３回押すことで「機能８」のメニュー項目まで移動した上で、エンターキー５２を１回操作することで「機能８」を選択してその下の層（第３層）に移動する。【００３０】
その状態では、「機能８−設定」のメニュー項目となっているから、機能８の設定を行うためにはエンターキー５２を１回押す。一方機能８の解除を行うにはメニューキー５３を１回操作して、「機能８−解除」のメニュー項目に移動させた上でエンターキー５２を１回操作する。こうして機能８の設定又は解除の後にメニュー操作モードを終了するにはブレイクキー５１を１回操作する。【００３１】
以上のように重量表示状態から機能８を設定して元の状態に戻るためには合計９回、重量表示状態から機能８の設定を解除して元の状態に戻るためには合計１０回のキー操作が必要となる。もちろん、選択しようとするメニュー項目が図２において同層上の上にあるほどキー操作回数は少なくて済むから操作回数は決まっているわけではない。また、図２の例は３層までであるが、機能がさらに複雑になる場合には階層数はさらに増える。こうした場合には、一層操作回数が多くなるおそれがある。【００３２】
上記のような所望の機能の設定／解除を頻繁に行う場合にその都度、上述したような多数回のキー操作を行うのは面倒であって、場合によっては誤って別の機能の設定／解除を意図せずに行ってしまうことも起こり得る。そこで、本実施例に特徴的な機能として、高い頻度で利用するメニュー項目を予め登録しておき、少ないキー操作回数で所望の機能を選択設定又は解除できるようにしている。【００３３】
即ち、本実施例の電子天秤では、不揮発性メモリ４４に初期的に書き込まれているユーザーメニューリスト情報４６は図３中に示すように、「マイメニュー」というメニュー項目の下に追加／削除を指定するメニュー項目が連なったものであり、このユーザーメニューリスト２９中の「マイメニュー」が上記基本メニューリスト中の最上位層のメニューグループ１よりも優先するように、両メニューリストが併合されて仮想的な総合メニューリストが構築される。このような初期状態では「マイメニュー」には何も登録されていないが、使用者は上記キースイッチを操作することで「マイメニュー」の第２層に並列して複数のメニュー項目を任意に追加することができる。【００３４】
即ち、使用者がメニューキー５３を操作してメニュー操作モードへ移動し、さらにメニューキー５３の操作により「マイメニュー」を選択すると、メニュー項目の追加／削除が選択可能である。ここで追加を選択して、基本メニューリストの機能一覧から頻繁に利用する機能を選択する。この例では、「機能８-設定」、「機能８-解除」、「機能１-１」、「機能２-３」の４つを順に選択している。このように選択されると、図４中のユーザーメニューリスト２９に示すようにツリー構造化されたデータが構築され、この情報が不揮発性メモリ４４のユーザーメニューリスト情報４６に書き込まれる。この情報４６は書き換えが行われない限り消えないから、一旦設定を行えばそれ以降、いつでも利用することができる。なお、上記のようなメニュー項目の登録作業は、ＲＯＭ４３に書き込まれている所定のプログラムがＣＰＵ４１上で実行されることで達成されるから、本発明における登録手段はＣＰＵ４１、ＲＯＭ４３（場合によってはＲＡＭ４２も）などであり、記憶手段は不揮発性メモリ４４である。【００３５】
上記のようなユーザーメニューリスト情報４６が登録されている状態では、メニュー操作モードにおいては、ユーザーメニューリスト情報４６と基本メニューリスト情報４５とを合わせて図４に示すようなツリー構造のメニューリストが仮想的に構築される。即ち、ユーザーメニューリスト情報４６と基本メニューリスト情報４５とは異なるメモリに格納されているが、メニュー操作モードにおいては一体に扱われる。このようなメニューリストの下で、上記と同じ機能８の設定／解除を行うには次のような手順で操作を行う。【００３６】
通常の重量表示状態において、メニューキー５３を１回操作することによって重量表示状態からメニュー操作モードへと移動し、エンターキー５２を１回操作することで第１層で「マイメニュー」を選択して第２層に移行する。そして、エンターキー５２を１回操作することで「機能８−設定」を選択する。一方、機能８の設定を解除するにはメニューキー５３を１回操作して第２層上で１つメニュー項目を移動させた後に、エンターキー５２を１回操作すればよい。こうして機能８の設定又は解除の後にメニュー操作モードを終了して重量表示に戻るには、ブレイクキー５１を１回操作する。【００３７】
したがって、上記ユーザーメニューリスト２９を用いた場合には、機能８の設定は４回、機能８の設定の解除には５回のキー操作を行えばよく、上述したような基本メニューリストのみに従って機能８の設定／解除の選択を行う場合よりも半分程度にキー操作回数を減らすことができる。なお、上記のようなメニュー項目の選択作業は、ＲＯＭ４３に書き込まれている所定のプログラムがＣＰＵ４１上で実行されることで達成されるから、本発明におけるメニュー設定制御手段は、ＣＰＵ４１、ＲＯＭ４３（場合によってはＲＡＭ４２も）などである。【００３８】
上記説明で明らかなように、キー操作回数は、選択しようとしているメニュー項目がユーザーメニューリスト２９内の第２層のいずれの位置にあるかにも依存するから、使用頻度の高い機能ほど第２層上の上に位置するように登録を行うとよい。【００３９】
また、上記実施例ではマイメニューのメニュー項目は１つだけであるが、例えば、この電子天秤を利用する使用者が複数であって各使用者が異なる演算機能を利用する場合には、複数の使用者が共通のマイメニューを利用するのは不便である。そこで、複数のユーザーメニューリストを登録できるようにしておき、例えば使用者がパスワードを入力したときに、そのパスワードに対応したユーザーメニューリストを利用できるようにしてもよい。このようにすれば、マイメニューを登録した或る使用者以外の人が勝手にその内容を書き換えることがないので、使用者は常に自分が登録したユーザーメニューリストを利用してメニュー項目の設定が行える。【００４０】
次に本発明に係る第２実施例による電子天秤を図面を参照して説明する。図５は第２実施例による電子天秤の概略構成図であり、第１実施例と同一又は相当する構成要素には同一符号を付して説明を省略する。図５により明らかなように、基本的な構成は第１実施例による電子天秤と同じであるから、特に相違する点について説明する。【００４１】
演算処理部４のＲＯＭ４３には、上記第１実施例における基本メニューリスト情報と内容的には同じであるメニューリスト情報５５が書き込まれている。ここで「基本」と冠していないのは、この例ではユーザーメニューリストのような他のメニューリストが存在しないからである。不揮発性メモリ４４には不要項目情報５６を書き込むエリアが設けられている。【００４２】
この第２実施例の電子天秤では、第１実施例の電子天秤において使用者が予めユーザーメニューリストに相当する情報を登録する作業を行ったのと同様の手順で、メニューリストの中に含まれる多数のメニュー項目の中で使用する可能性がないメニュー項目を登録する。この情報が不要項目情報５６として不揮発性メモリ４４に書き込まれるわけである。この情報も一旦書き込まれれば、書き換えられる又は強制的に全消去されるまで保持される。【００４３】
上記のような不要項目情報５６が登録されている状態では、メニュー操作モードにおいては、図６に示すようなツリー構造のメニューリストが仮想的に構築されることになる。この図で点線で示したメニュー項目は不要項目情報５６に登録されているメニュー項目である。但し、ここで点線で示されるメニュー項目はメニューリスト情報５５内に存在しないわけではなく、実際には、上述したキースイッチ５１、５２、５３の操作に伴ってツリーを同層内で移動する、或いは下層に移行する際に、移動先のメニュー項目が不要項目情報５６に登録されているものであるか否かがチェックされる。そして、不要項目情報５６に登録されている場合には、そのメニュー項目はパス、具体的には存在しないものをみなされて、次の移行先に進む。【００４４】
このような一部のメニュー項目が見かけ上消去されたメニューリストの下で、上記と同じ機能８の設定／解除を行うには次のような手順で操作を行う。【００４５】
通常の重量表示状態において、メニューキー５３を１回操作することによって重量表示状態からメニュー操作モードへと移動し、さらにメニューキー５３を１回操作すると最上位層でメニューグループ１から２へ移動し、そこでエンターキー５２を１回操作することでメニューグループ２を選択してその下の層に移動する。但し、下の層に移動した際に、図２中では存在していた「機能５」、「機能６」はここでは見かけ上存在しないため、移動先は「機能７」であり、メニューキー５３を１回だけ操作すれば「機能８」のメニュー項目まで移動する。そして、エンターキー５２を１回操作することで「機能８」を選択してその下の層（第３層）に移動する。【００４６】
その状態では、「機能８−設定」のメニュー項目となっているから、機能８の設定を行うためにはエンターキー５２を１回押す。一方機能８の解除を行うにはメニューキー５３を１回操作して、「機能８−解除」のメニュー項目に移動させた上でエンターキー５２を１回操作する。こうして機能８の設定又は解除の後にメニュー操作モードを終了するにはブレイクキー５１を１回操作する。これは従来と同じである。【００４７】
上記例では第２層の「機能５」、「機能６」のメニュー項目が見かけ上存在しないことで２回のキー操作が減らせることなる。したがって、重量表示状態から機能８を設定して元の状態に戻るためには合計７回、重量表示状態から機能８の設定を解除して元の状態に戻るためには合計８回のキー操作で済む。もちろん、不要とするメニュー項目の数を減らせば、換言すると使用可能なメニュー項目の数を少なくすれば、キー操作回数はより少なくて済む。なお、使用しないと考えていた演算機能が必要になる場合もあり得るから、そうした場合には所定のキー操作でリセットを行い、不要項目情報５６を全消去するようにしてメニューリストを初期状態に戻せるようにしておくとよい。【００４８】
この実施例においても、複数の使用者毎にそれぞれ異なる不要項目情報を設定できるようにしておいて、通常使用可能なメニュー項目を使用者毎に変えるようにすることもできる。【００４９】
また、上記実施例はいずれも一例であって、本発明の趣旨に沿った範囲で適宜変形や修正、追加を行っても本願特許請求の範囲に包含されることは明らかである。
【図１】
2007108121.tif 000003
【図２】
2007108121.tif 000004
【図３】
2007108121.tif 000005
【図４】
2007108121.tif 000006
【図５】
2007108121.tif 000007
【図６】
2007108121.tif 000008
【手続補正書】
【提出日】平成20年8月7日(2008.8.7)
【手続補正１】
【補正対象書類名】明細書
【補正対象項目名】００４７
【補正方法】変更
【補正の内容】
【００４７】
上記例では第２層の「機能５」、「機能６」のメニュー項目が見かけ上存在しないことで２回のキー操作が減らせることなる。したがって、重量表示状態から機能８を設定して元の状態に戻るためには合計７回、重量表示状態から機能８の設定を解除して元の状態に戻るためには合計８回のキー操作で済む。もちろん、不要とするメニュー項目の数を増やせば、換言すると使用可能なメニュー項目の数を少なくすれば、キー操作回数はより少なくて済む。なお、使用しないと考えていた演算機能が必要になる場合もあり得るから、そうした場合には所定のキー操作でリセットを行い、不要項目情報５６を全消去するようにしてメニューリストを初期状態に戻せるようにしておくとよい。
【国際調査報告】
2007108121.tif 000009
2007108121.tif 000010